(57)【特許請求の範囲】
【請求項１】
粉体が通過可能な筒状部材と、
この筒状部材と略同じ方向に延びるように前記筒状部材内に設けられ、回転することによって粉体を前記筒状部材が延びる方向に搬送する搬送部材と、
この搬送部材の端部に設けられ、前記搬送部材が回転するように駆動力を伝達する駆動力伝達部材と、
前記筒状部材の一部が固定されるユニット本体と
を有し、
前記筒状部材は、前記ユニット本体に固定される第１の構成部材と、この第１の構成部材に対して粉体搬送方向下流側に接続され、前記第１の構成部材及び前記ユニット本体に対して遊びが設けられて支持される第２の構成部材とからなり、
前記搬送部材は、前記駆動伝達部材によって駆動される回転軸と、この回転軸の周囲に設けられた螺旋翼とからなり、前記筒状部材の内面に接触せず、且つ前記駆動力伝達部材が所定の噛み合い条件を満たすように、前記第１の構成部材の前記駆動伝達部材が設けられた端部側で軸受けにより回転自在に支持され、前記第２の構成部材に対して遊びが設けられて支持される
粉体搬送装置。
【請求項２】
トナー像を保持する像保持体と、
この像保持体を収容する画像形成装置本体と、
前記像保持体に残留するトナーを剥離する剥離手段と、
前記画像形成装置本体に着脱自在にされ、前記剥離手段が剥離したトナーを受け入れるトナーカートリッジと、
前記剥離手段が剥離したトナーを前記トナーカートリッジへ搬送するトナー搬送装置と
を具備し、
前記トナー搬送装置は、
トナーが通過可能な筒状部材と、
この筒状部材と略同じ方向に延びるように前記筒状部材内に設けられ、回転することによってトナーを前記筒状部材が延びる方向に搬送する搬送部材と、
この搬送部材の端部に設けられ、前記搬送部材が回転するように駆動力を伝達する駆動力伝達部材と、
前記筒状部材の一部が固定されるユニット本体と
を有し、
前記筒状部材は、前記ユニット本体に固定される第１の構成部材と、この第１の構成部材に対して粉体搬送方向下流側に接続され、前記第１の構成部材及び前記ユニット本体に対して遊びが設けられて支持される第２の構成部材とからなり、
前記搬送部材は、前記筒状部材の内面に接触せず、且つ前記駆動力伝達部材が所定の噛み合い条件を満たすように、前記第１の構成部材に回転自在に支持され、前記第２の構成部材に対して遊びが設けられて支持される
画像形成装置。
【請求項３】
前記像保持体を回転させるよう駆動する駆動手段をさらに有し、
前記駆動力伝達部材は、
前記駆動手段の駆動力を伝達する
請求項２記載の画像形成装置。
【請求項４】
前記搬送部材は、
前記駆動力伝達部材によって駆動される回転軸と、
この回転軸の周囲に設けられた螺旋翼とからなる
請求項２又は３記載の画像形成装置。
【請求項５】
前記搬送部材は、
前記駆動力伝達部材が設けられた端部側で軸受けにより支持される
請求項２乃至４いずれか記載の画像形成装置。
【発明の詳細な説明】
【技術分野】
【０００１】
本発明は、粉体搬送装置及び画像形成装置に関するものである。
【背景技術】
【０００２】
特許文献１〜４は、トナー回収の負荷が一定値以上になると従動側又は駆動側歯車軸を変位し得るように取り付け、該変位を検知する検知部材を設けた複写機の異常検知装置を開示する。
【０００３】
【特許文献１】特開昭６３−２３９４８１号公報
【特許文献２】特開昭６４−５８５号公報
【特許文献３】特開昭６４−５７７号公報
【特許文献４】特開昭６４−５８６号公報
【発明の開示】
【発明が解決しようとする課題】
【０００４】
本発明は、粉体を搬送する搬送部材に対して駆動力を伝達する駆動力伝達部材に過負荷がかかることを防止し、良好に粉体を搬送することができる粉体搬送装置及び画像形成装置を提供することを目的とする。
【課題を解決するための手段】
【０００５】
上記目的を達成するため、請求項１に係る本発明は、粉体が通過可能な筒状部材と、この筒状部材と略同じ方向に延びるように前記筒状部材内に設けられ、回転することによって粉体を前記筒状部材が延びる方向に搬送する搬送部材と、この搬送部材の端部に設けられ、前記搬送部材が回転するように駆動力を伝達する駆動力伝達部材と、前記筒状部材の一部が固定される被固定部材とを有し、前記搬送部材は、前記筒状部材の内面に接触せず、且つ前記駆動力伝達部材が所定の噛み合い条件を満たすように、前記被固定部材に対して遊びが設けられて支持される粉体搬送装置である。
【０００６】
請求項２に係る本発明は、前記筒状部材は、前記被固定部材に対して遊びが設けられて支持される請求項１記載の粉体搬送装置である。
【０００７】
請求項３に係る本発明は、前記筒状部材は、前記被固定部材に固定される第１の構成部材と、この第１の構成部材に対して粉体搬送方向下流側に接続され、前記被固定部材に対して遊びが設けられて支持される第２の構成部材とからなる請求項１又は２記載の粉体搬送装置である。
【０００８】
請求項４に係る本発明は、前記搬送部材は、前記駆動力伝達部材によって駆動される回転軸と、この回転軸の周囲に設けられた螺旋翼とからなる請求項１乃至３いずれか記載の粉体搬送装置である。
【０００９】
請求項５に係る本発明は、前記搬送部材は、前記駆動力伝達部材が設けられた端部側で軸受けにより支持される請求項１乃至４いずれか記載の粉体搬送装置である。
【００１０】
請求項６に係る本発明は、トナー像を保持する像保持体と、この像保持体を収容する画像形成装置本体と、前記像保持体に残留するトナーを剥離する剥離手段と、前記画像形成装置本体に着脱自在にされ、前記剥離手段が剥離したトナーを受け入れるトナーカートリッジと、前記剥離手段が剥離したトナーを前記トナーカートリッジへ搬送するトナー搬送装置とを具備し、前記トナー搬送装置は、トナーが通過可能な筒状部材と、この筒状部材と略同じ方向に延びるように前記筒状部材内に設けられ、回転することによってトナーを前記筒状部材が延びる方向に搬送する搬送部材と、この搬送部材の端部に設けられ、前記搬送部材が回転するように駆動力を伝達する駆動力伝達部材と、前記筒状部材の一部が固定される被固定部材とを有し、前記搬送部材は、前記筒状部材の内面に接触せず、且つ前記駆動力伝達部材が所定の噛み合い条件を満たすように、前記被固定部材に対して遊びが設けられて支持される画像形成装置である。
【００１１】
請求項７に係る本発明は、前記像保持体を回転させるよう駆動する駆動手段をさらに有し、前記駆動力伝達部材は、前記駆動手段の駆動力を伝達する請求項６記載の画像形成装置である。
【００１２】
請求項８に係る本発明は、前記筒状部材は、前記被固定部材に対して遊びが設けられて支持される請求項６又は７記載の画像形成装置である。
【００１３】
請求項９に係る本発明は、前記筒状部材は、前記被固定部材に固定される第１の構成部材と、この第１の構成部材に対してトナー搬送方向下流側に接続され、前記被固定部材に対して遊びが設けられて支持される第２の構成部材とからなる請求項６乃至８いずれか記載の画像形成装置である。
【００１４】
請求項１０に係る本発明は、前記搬送部材は、前記駆動力伝達部材によって駆動される回転軸と、この回転軸の周囲に設けられた螺旋翼とからなる請求項６乃至９いずれか記載の画像形成装置である。
【００１５】
請求項１１に係る本発明は、前記搬送部材は、前記駆動力伝達部材が設けられた端部側で軸受けにより支持される請求項６乃至１０いずれか記載の画像形成装置である。
【発明の効果】
【００１６】
請求項１に係る本発明によれば、本構成を有していない場合に比較して、粉体を搬送する搬送部材に対して駆動力を伝達する駆動力伝達部材に過負荷がかかることを防止し、良好に粉体を搬送することができる。
【００１７】
請求項２に係る本発明によれば、請求項１に係る本発明の効果に加えて、本構成を有していない場合に比較して、粉体を搬送する搬送部材に駆動力を伝達する駆動力伝達部材に過負荷がかかることを防止し、良好に粉体を搬送することができる。
【００１８】
請求項３に係る本発明によれば、請求項１又は２に係る本発明の効果に加えて、本構成を有していない場合に比較して、粉体を搬送する搬送部材に駆動力を伝達する駆動力伝達部材に過負荷がかかることを防止し、良好に粉体を搬送することができる。
【００１９】
請求項４に係る本発明によれば、請求項１乃至３いずれかに係る本発明の効果に加えて、本構成を有していない場合に比較して、良好に粉体を搬送することができる。
【００２０】
請求項５に係る本発明によれば、請求項１乃至４いずれかに係る本発明の効果に加えて、本構成を有していない場合に比較して、粉体を搬送する搬送部材に駆動力を伝達する駆動力伝達部材に過負荷がかかることを防止し、良好に粉体を搬送することができる。
【００２１】
請求項６に係る本発明によれば、本構成を有していない場合に比較して、像保持体から剥離したトナーを搬送する搬送部材に対して駆動力を伝達する駆動力伝達部材に過負荷がかかることを防止し、良好にトナーを搬送することができる。
【００２２】
請求項７に係る本発明によれば、請求項６に係る本発明の効果に加えて、像保持体が保持するトナー像に障害が生じることを防止して、良好にトナーを搬送することができる。
【００２３】
請求項８に係る本発明によれば、請求項６又は７に係る本発明の効果に加えて、本構成を有していない場合に比較して、トナーを搬送する搬送部材に駆動力を伝達する駆動力伝達部材に過負荷がかかることを防止し、良好にトナーを搬送することができる。
【００２４】
請求項９に係る本発明によれば、請求項６乃至８いずれかに係る本発明の効果に加えて、本構成を有していない場合に比較して、トナーを搬送する搬送部材に駆動力を伝達する駆動力伝達部材に過負荷がかかることを防止し、良好にトナーを搬送することができる。
【００２５】
請求項１０に係る本発明によれば、請求項６乃至９いずれかに係る本発明の効果に加えて、本構成を有していない場合に比較して、良好に粉体を搬送することができる。
【００２６】
請求項１１に係る本発明によれば、請求項６乃至１０いずれかに係る本発明の効果に加えて、本構成を有していない場合に比較して、トナーを搬送する搬送部材に駆動力を伝達する駆動力伝達部材に過負荷がかかることを防止し、良好にトナーを搬送することができる。
【発明を実施するための最良の形態】
【００２７】
次に本発明の実施形態を図面に基づいて説明する。
図１及び図２において、本発明の実施形態に係る画像形成装置１０の概要が示されている。この画像形成装置１０は、画像形成装置本体１２を有し、この画像形成装置本体１２内に画像形成部１４と、画像形成部１４にシートを供給するシート供給装置５４と、電源ユニット１６と、図示しないＣＰＵなどを有する制御部６８とが配設されている。制御部６８は、画像形成装置１０を構成する各部を制御する。また、画像形成装置本体１２の上部に画像形成がなされたシートが排出されるシート排出部１５が設けられている。
【００２８】
画像形成部１４は、カラー画像を形成する電子写真方式のもので、トナー像を保持する像保持体２２Ｙ、２２Ｍ、２２Ｃ、２２Ｂと、この各像保持体２２Ｙ、２２Ｍ、２２Ｃ、２２Ｂを一様に帯電する帯電ロールを備えた帯電装置２４Ｙ、２４Ｍ、２４Ｃ、２４Ｂと、各像保持体２２Ｙ、２２Ｍ、２２Ｃ、２２Ｂに光により静電潜像を書き込む光書き込み装置２６Ｙ、２６Ｍ、２６Ｃ、２６Ｂと、各像保持体２２Ｙ、２２Ｍ、２２Ｃ、２２Ｂに書き込まれた潜像を非磁性のトナーと磁性のキャリアとからなる二成分系の現像剤を用いて現像する現像器２８Ｙ、２８Ｍ、２８Ｃ、２８Ｂと、各像保持体２２Ｙ、２２Ｍ、２２Ｃ、２２Ｂに形成されたトナー像をシートに転写する転写ユニット４２と、転写ユニット４２によるトナー像の転写がなされた後に像保持体２２Ｙ、２２Ｍ、２２Ｃ、２２Ｂに残留する廃トナーを例えば掻き取って（剥離して）回収するクリーニング装置３０Ｙ、３０Ｍ、３０Ｃ、３０Ｂとを有する。
【００２９】
光書き込み装置２６Ｙ、２６Ｍ、２６Ｃ、２６Ｂは、それぞれレーザ露光装置からなり、光書き込み装置２６Ｙは像保持体２２Ｙにイエロー画像に対応するレーザ光を、光書き込み装置２６Ｍは像保持体２２Ｍにマゼンダ画像に対応するレーザ光を、光書き込み装置２６Ｃは像保持体２２Ｃにシアン画像に対応するレーザ光を、光書き込み装置２６Ｂは像保持体２２Ｂにブラック画像に対応するレーザ光をそれぞれ発し、像保持体２２Ｙ、２２Ｍ、２２Ｃ、２２Ｂに、それぞれ静電潜像を書き込むようになっている。
【００３０】
画像形成部１４が有する部材のうち像保持体２２Ｙ、２２Ｍ、２２Ｃ、２２Ｂ、帯電装置２４Ｙ、２４Ｍ、２４Ｃ、２４Ｂ、現像器２８Ｙ、２８Ｍ、２８Ｃ、２８Ｂ及びクリーニング装置３０Ｙ、３０Ｍ、３０Ｃ、３０Ｂは、交換ユニットとして用いられる像形成ユニット３２として一体型され、画像形成装置本体１２に対して正面側（図１において左側）から着脱自在に装着される。
【００３１】
また、像保持体２２Ｙ、帯電装置２４Ｙ及びクリーニング装置３０Ｙは、一体化されて後述する像保持体ユニット９０を構成する。同様に、像保持体２２Ｍ、２２Ｃ、２２Ｂは、帯電装置２４Ｍ、２４Ｃ、２４Ｂ及びクリーニング装置３０Ｍ、３０Ｃ、３０Ｂとともに対応する画像の色ごとに一体化されてそれぞれ像保持体ユニットを構成する。現像器２８Ｙ、２８Ｍ、２８Ｃ、２８Ｂは、それぞれ像形成ユニット３２に対して着脱自在に装着されている。
【００３２】
また、この像形成ユニット３２には、現像器２８Ｙ、２８Ｍ、２８Ｃ、２８Ｂに供給されるトナーをそれぞれ収容する交換ユニットとしてのトナーカートリッジ３４Ｙ、３４Ｍ、３４Ｃ、３４Ｂが画像形成装置本体１２に対して側面側から着脱自在に装着されている。
トナーカートリッジ３４Ｙ、３４Ｍ、３４Ｃ、３４Ｂは、それぞれトナーカートリッジ本体３５Ｙ、３５Ｍ、３５Ｃ、３５Ｂを有し、トナーカートリッジ本体３５Ｙ、３５Ｍ、３５Ｃ、３５Ｂ内にトナーを収容するトナー収容室３６Ｙ、３６Ｍ、３６Ｃ、３６Ｂ及び廃トナー収容室３８Ｙ、３８Ｍ、３８Ｃ、３８Ｂがそれぞれ形成されており、画像形成装置本体１２に設けられた図示しないトナー供給路を介して、それぞれトナーを現像器２８Ｙ、２８Ｍ、２８Ｃ、２８Ｂに対して供給する。例えば、トナーカートリッジ３４Ｙにはイエロートナーが、トナーカートリッジ３４Ｍにはマゼンダトナーが、トナーカートリッジ３４Ｃにはシアントナーが、トナーカートリッジ３４Ｂにはブラックトナーがそれぞれ充填（収容）されている。廃トナー収容室３８Ｙ、３８Ｍ、３８Ｃ、３８Ｂは、像保持体２２Ｙ、２２Ｍ、２２Ｃ、２２Ｂから回収される廃トナーを収容する。
なお、トナーカートリッジ３４Ｙ、３４Ｍ、３４Ｃ、３４Ｂには、例えば残量検出センサ又は濃度センサ（図示せず）などがそれぞれ設けられており、制御部６８がトナー残量をそれぞれ検出（算出）することができるようにされている。
【００３３】
転写ユニット４２は、像形成ユニット３２の像保持体２２Ｙ、２２Ｍ、２２Ｃ、２２Ｂと接触するように配置されている。この転写ユニット４２は、ユニットとして一体化されていて二つの支持ロール４４ａ、４４ｂと、シート又はトナー像を搬送する搬送ベルト４６と、この搬送ベルト４６にシートを吸着させる吸着ロール４８と、搬送ベルト４６により搬送中のシートに、各像保持体２２Ｙ、２２Ｍ、２２Ｃ、２２Ｂに形成されたトナー像をそれぞれ転写する転写ロール５０Ｙ、５０Ｍ、５０Ｃ、５０Ｂとが装着されてなる。
【００３４】
吸着ロール４８は、搬送ベルト４６を介して支持ロール４４ａに圧接する状態で設けられ、電源ユニット１６から電圧が印加されて搬送ベルト４６に静電的にシートを吸着させるようになっている。
【００３５】
転写ロール５０Ｙ、５０Ｍ、５０Ｃ、５０Ｂは、それぞれ転写バイアスが印加されており、像保持体２２Ｙ、２２Ｍ、２２Ｃ、２２Ｂに形成されたトナー像を、搬送ベルト４６によって搬送中のシートへ順に転写し、シートにイエロー、マゼンダ、ブラック、シアンの４色のトナー像が重ねられたカラートナー像を形成するようになっている。
【００３６】
画像形成装置本体１２内の上部には、転写ユニット４２によりシートに転写されたトナー像をシートへと定着する定着装置５２が設けられている。定着装置５２は、加熱ロール５２ａと加圧ロール５２ｂとからなり、加熱ロール５２ａと加圧ロール５２ｂとの間を通過するシートを加熱し加圧することで、シートにトナー像を定着するようになっている。
【００３７】
また、画像形成装置本体１２内には、シート供給装置５４から供給されたシートをシート排出部１５まで搬送する搬送路６０が設けられていて、この搬送路６０に沿って、シート搬送方向上流側から順に、レジストロール６２、転写ユニット４２、定着装置５２及び排出ロール６４が配置されている。排出ロール６４は、定着装置５２から搬送されたシートをシート排出部１５へと排出する。
【００３８】
画像形成装置本体１２には、正面側上部にユーザインターフェイス（ＵＩ）部７０が設けられ、一方の側面に開口部７８を開閉する開閉カバー７２が設けられている。ＵＩ部７０は、例えばタッチパネルなどであり、作業者の入力を受け入れて制御部６８に出力するとともに、制御部６８の制御に応じて所定の表示を行う。開閉カバー７２には、外面に開閉レバー７４が設けられている。開閉レバー７４は、開閉カバー７２を開閉するために作業者によって把持され、例えば上下方向を軸として作業者により正逆方向に円運動させられることにより、画像形成装置本体１２の内側に向けて設けられたフック７６を正逆方向に円運動させる。フック７６は、正逆方向の円運動に応じて、画像形成装置本体１２に係わり合うことにより開閉カバー７２が閉じられた状態を保ち、画像形成装置本体１２との係わり合いが解除されることにより開閉カバー７２が開かれることを可能にする。
【００３９】
開閉カバー７２が開かれると、トナーカートリッジ３４Ｙ、３４Ｍ、３４Ｃ、３４Ｂは、画像形成装置本体１２の一方の側面に設けられた開口部７８を介して、それぞれの正面側（図２において左手前側）の一部が露出するようにされている。トナーカートリッジ３４Ｙ、３４Ｍ、３４Ｃ、３４Ｂは、それぞれ正面側に把持部８０が設けられており、開閉カバー７２が閉じられた場合に側面が開閉カバー７２に対向するように、それぞれカートリッジホルダ８２によって保持されている。
【００４０】
カートリッジホルダ８２は、開閉カバー７２が閉じられた場合に開閉カバー７２に対向する側面の背面側から爪部８４がそれぞれ突出するようにされている。爪部８４それぞれは、開閉カバー７２の内側に設けられた受け部８６に所定の場合に係わり合い、カートリッジホルダ８２と開閉カバー７２とを連結するようにされている。
なお、像保持体２２Ｙ、２２Ｍ、２２Ｃ、２２Ｂの周辺及びトナーカートリッジ３４Ｍ、３４Ｃ、３４Ｂは、トナーの色が異なる他は、ほぼ同様に構成されている。そこで、以下、像保持体２２Ｙの周辺及びトナーカートリッジ３４Ｙについて説明する。
【００４１】
図３は、像保持体２２Ｙを含む像保持体ユニット９０Ｙとトナーカートリッジ３４Ｙとを示す斜視図である。
図４は、像保持体ユニット９０Ｙ内の駆動系を示す斜視図である。
トナーカートリッジ３４Ｙは、互いに隔てられたトナー収容室３６Ｙ及び廃トナー収容室３８Ｙが長手方向に並ぶように形成されている。トナー収容室３６Ｙは、図示しないトナー供給路を介して現像器２８Ｙに接続される。廃トナー収容室３８Ｙは、トナー収容室３６Ｙよりも像保持体ユニット９０Ｙ側に配置されており、後述する第２の廃トナー搬送路１０４Ｙが接続される開口部９２Ｙが設けられている。
【００４２】
像保持体ユニット９０Ｙは、像保持体２２Ｙ、帯電装置２４Ｙ及びクリーニング装置３０Ｙなどをユニット本体９３Ｙにより保持するユニットであり、上部に廃トナーが通過可能な筒状の第１の廃トナー搬送路９４Ｙが設けられ、この第１の廃トナー搬送路９４Ｙに対して略直交する方向に後述する第２の廃トナー搬送路１０４Ｙが設けられている。つまり、像保持体ユニット９０Ｙは、廃トナー搬送装置でもある。
【００４３】
第１の廃トナー搬送路９４Ｙは、クリーニング装置３０Ｙが回収した廃トナーを搬送する第１の廃トナー搬送部材９６Ｙを有する。第１の廃トナー搬送部材９６Ｙは、回転軸９７ａと、この回転軸９７ａの周囲に設けられた螺旋翼９７ｂとから構成される。第１の廃トナー搬送部材９６Ｙには、一端に駆動ギア９８Ｙが固定されている。駆動ギア９８Ｙは、像保持体２２Ｙの一端に設けられた駆動ギア１００Ｙの駆動力を第１の廃トナー搬送部材９６Ｙに伝達する。駆動ギア１００Ｙは、駆動部１０２の駆動力によって回転するようにされている。つまり、駆動部１０２の駆動力を駆動ギア１００Ｙ及び駆動ギア９８Ｙが伝達することにより、第１の廃トナー搬送部材９６Ｙが回転し、クリーニング装置３０Ｙが回収した廃トナーを第１の廃トナー搬送部材９６Ｙが像保持体２２Ｙに略平行に搬送して、トナーカートリッジ３４Ｙ側の第２の廃トナー搬送路１０４Ｙまで廃トナーを搬送する。
【００４４】
第２の廃トナー搬送路１０４Ｙは、廃トナーが通過可能な筒状の部材であり、第１の廃トナー搬送路９４Ｙに対して略直交する方向に接続されており、トナーカートリッジ３４Ｙに対して接続可能にされ、第１の廃トナー搬送路９４Ｙとトナーカートリッジ３４Ｙとの間で廃トナーを搬送するように設けられている。第２の廃トナー搬送路１０４Ｙ内には、第２の廃トナー搬送部材１０６Ｙが設けられている。第２の廃トナー搬送部材１０６Ｙは、回転軸１０７ａと、この回転軸１０７ａの周囲に設けられた螺旋翼１０７ｂとから構成され、第１の廃トナー搬送部材９６Ｙ側の端部に駆動ギア１０８Ｙが設けられている。駆動ギア１０８Ｙは、像保持体２２Ｙの第２の廃トナー搬送路１０４Ｙ側端部に設けられた駆動ギア１１０Ｙの駆動力をギア１１２Ｙを介して伝達されるようになっている。つまり、第２の廃トナー搬送部材１０６Ｙは、像保持体２２Ｙを回転させる駆動力が駆動ギア１０８Ｙを介して伝達されることにより、第１の廃トナー搬送部材９６Ｙが搬送した廃トナーをトナーカートリッジ３４Ｙに向けて搬送する。
【００４５】
図５は、第２の廃トナー搬送路１０４Ｙ及びその周辺を示す断面図である。
第２の廃トナー搬送路１０４Ｙは、ユニット本体９３Ｙに固定される第１の構成部材１１４Ｙと、この第１の構成部材１１４Ｙに対して廃トナーの搬送方向下流側に遊びを設けられて接続され、ユニット本体９３Ｙに対して遊びが設けられて支持される第２の構成部材１１６Ｙとから構成される。
ここで、第２の廃トナー搬送路１０４Ｙ及び第２の廃トナー搬送部材１０６Ｙは、第２の廃トナー搬送路１０４Ｙの内面に第２の廃トナー搬送部材１０６Ｙが接触せず、且つ駆動ギア１０８Ｙが所定の噛み合い条件を満たすように、ユニット本体９３Ｙに対してそれぞれ遊びが設けられて支持されている。
【００４６】
第２の構成部材１１６Ｙは、トナーカートリッジ３４Ｙが接続される端部側に廃トナーをトナーカートリッジ３４Ｙへ排出するための排出口１１８Ｙが設けられている。排出口１１８Ｙは、例えばバネなどの弾性部材１２０Ｙにより付勢されたシャッタ１２２Ｙが移動することにより、開閉するようにされている。弾性部材１２０Ｙは、トナーカートリッジ３４Ｙが第２の廃トナー搬送路１０４Ｙに接続された場合にシャッタ１２２Ｙが第１の構成部材１１４Ｙ側へ移動して排出口１１８Ｙを開き、トナーカートリッジ３４Ｙが第２の廃トナー搬送路１０４Ｙから取り外された場合にシャッタ１２２Ｙが移動して排出口１１８Ｙを閉じるようにされている。
【００４７】
第２の廃トナー搬送部材１０６Ｙは、排出口１１８Ｙ側が支持部材１２４Ｙにより遊びを設けられて支持され、駆動ギア１０８Ｙが設けられた端部側で第１の構成部材１１４Ｙ内に配置された軸受け１２６Ｙにより支持されている。
また、第１の構成部材１１４Ｙは、軸受け１２６Ｙの上方及び下方にビス穴１２８ａ，１２８ｂが設けられており、後述するビス穴１２８ｃ，１２８ｄとともにそれぞれビス止め（固定）が可能にされている。
【００４８】
次に、ユニット本体９３Ｙと第２の廃トナー搬送路１０４Ｙとの接続について説明する。
図６は、ユニット本体９３Ｙと第２の廃トナー搬送路１０４Ｙとの接続方法を示す斜視図である。
ユニット本体９３Ｙには、上述した第２の廃トナー搬送路１０４Ｙのビス穴１２８ａ，１２８ｂに対向するように、ビス穴１２８ｃ，１２８ｄが設けられている。
また、第２の廃トナー搬送路１０４Ｙの第２の構成部材１１６Ｙには、第１の構成部材１１４Ｙに接続された部分の近傍にボス１３０がユニット本体９３Ｙに対向するように設けられており、ユニット本体９３Ｙには、ボス１３０に対向するようにボス穴１３２が設けられている。ボス穴１３２は、ボス１３０が所定の遊びが設けられて支持されるように形成されている。
【００４９】
そして、第２の廃トナー搬送路１０４Ｙは、ビス穴１２８ａと１２８ｃとがビス止めされ、ビス穴１２８ｂと１２８ｄとがビス止めされることによって駆動ギア１０８Ｙ側が固定され、ボス１３０が遊びを設けられてボス穴１３２に支持されるように、ユニット本体９３Ｙに接続される。つまり、第２の廃トナー搬送路１０４Ｙ及び第２の廃トナー搬送部材１０６Ｙは、ユニット本体９３Ｙに対して遊びが設けられて支持されている。
したがって、第２の廃トナー搬送部材１０６Ｙが廃トナーを搬送する場合に廃トナーにより過剰な負荷を受けても、駆動ギア１０８Ｙには過剰な負荷がかからない。また、像保持体２２Ｙに対して第２の廃トナー搬送部材１０６Ｙから不要な力が加えられることもない。また、第２の廃トナー搬送路１０４Ｙが遊びを設けられてユニット本体９３Ｙに接続されているので、トナーカートリッジ３４Ｙが像保持体ユニット９０Ｙに接続される場合にも、トナーカートリッジ３４Ｙの接続が容易になる。
【図面の簡単な説明】
【００５０】
【図１】本発明の実施形態に係る画像形成装置の概要を示す側面からみた断面図である。
【図２】本発明の実施形態に係る画像形成装置の開閉カバーが開かれた状態を示す斜視図である。
【図３】像保持体を含む像保持体ユニットとトナーカートリッジとを示す斜視図である。
【図４】像保持体ユニット内の駆動系を示す斜視図である。
【図５】第２の廃トナー搬送路及びその周辺を示す断面図である。
【図６】ユニット本体と第２の廃トナー搬送路との接続方法を示す斜視図である。
【符号の説明】
【００５１】
１０    画像形成装置
１２    画像形成装置本体
１４    画像形成部
２２Ｙ、２２Ｍ、２２Ｃ、２２Ｂ    像保持体
２８Ｙ、２８Ｍ、２８Ｃ、２８Ｂ    現像器
３４Ｙ、３４Ｍ、３４Ｃ、３４Ｂ    トナーカートリッジ
３５Ｙ、３５Ｍ、３５Ｃ、３５Ｂ    トナーカートリッジ本体
３６Ｙ、３６Ｍ、３６Ｃ、３６Ｂ    トナー収容室
３８Ｙ、３８Ｍ、３８Ｃ、３８Ｂ    廃トナー収容室
９０Ｙ    像保持体ユニット
９２Ｙ    開口部
９３Ｙ    ユニット本体
９４Ｙ    第１の廃トナー搬送路
９７ａ    回転軸
９７ｂ    螺旋翼
９６Ｙ    第１の廃トナー搬送部材
９８Ｙ，１００Ｙ    駆動ギア
１０２    駆動部
１０４Ｙ    第２の廃トナー搬送路
１０６Ｙ    第２の廃トナー搬送部材
１０７ａ    回転軸
１０７ｂ    螺旋翼
１０８Ｙ，１１０Ｙ    駆動ギア
１１２Ｙ    ギア
１１４Ｙ    第１の構成部材
１１６Ｙ    第２の構成部材
１２２Ｙ    シャッタ
１２６Ｙ    軸受け
１２８ａ，１２８ｂ，１２８ｃ，１２８ｄ    ビス穴
１３０    ボス
１３２    ボス穴
【図１】
0005311185.tif 000002
【図２】
0005311185.tif 000003
【図３】
0005311185.tif 000004
【図４】
0005311185.tif 000005
【図５】
0005311185.tif 000006
【図６】
0005311185.tif 000007